(57)【要約】  本発明は、チャネル推定精度を従来よりも向上させ、等化フィルタのウエイト計算に用いることで優れた等化特性が得られるチャネル推定装置を提供する。サブキャリアコピー部２０は、相関処理部１４で推定したチャネル推定とサブキャリアコピー数Ｋを用いて、端のサブキャリアをＫ個コピーする。ＩＤＦＴ部１５は、サブキャリアコピー部２０で得られたチャネル推定を時間領域のチャネル応答に変換する。雑音パス除去部１６は、ＩＤＦＴ部１５の出力であるチャネル応答から雑音パスを除去する。ＤＦＴ部１７は、雑音パス除去部１６で雑音パス除去したチャネル応答をＤＦＴし、雑音を抑圧した周波数領域のチャネル推定値を出力する。ウエイト計算部５は、ＤＦＴ部１７の出力である周波数領域のチャネル推定値を入力とし、等化ウエイトを計算する。
2008099734.tif 000002
【特許請求の範囲】
【請求項１】
シングルキャリアのパイロット信号を用いて、周波数領域の信号処理によりチャネル推定を推定するチャネル推定装置であって、
周波数領域のチャネル推定値を一旦、時間領域に変換する前に端のサブキャリアのチャネル推定値をコピーするコピー手段を含むことを特徴とするチャネル推定装置。
【請求項２】
前記コピー手段は、伝搬路状況に応じて、前記端のサブキャリアをコピーする数を決定することを特徴とする請求項１記載のチャネル推定装置。
【請求項３】
シングルキャリア信号を周波数領域の信号に変換し、周波数領域の信号処理により等化処理を行う等化装置であって、
周波数領域のチャネル推定値を一旦、時間領域に変換する前に端のサブキャリアのチャネル推定値をコピーするコピー手段と、
前記コピー手段でコピーされたチャネル推定値を基に受信信号の等化処理を行う等化フィルタ手段とを含むことを特徴とする等化装置。
【請求項４】
前記コピー手段は、伝搬路状況に応じて、前記端のサブキャリアをコピーする数を決定することを特徴とする請求項３記載の等化装置。
【請求項５】
シングルキャリアのパイロット信号を用いて、周波数領域の信号処理によりチャネル推定を推定するチャネル推定方法であって、
周波数領域のチャネル推定値を一旦、時間領域に変換する前に端のサブキャリアのチャネル推定値をコピーするコピーステップを含むことを特徴とするチャネル推定方法。
【請求項６】
前記コピーステップは、伝搬路状況に応じて、前記端のサブキャリアをコピーする数を決定することを特徴とする請求項５記載のチャネル推定方法。
【請求項７】
シングルキャリア信号を周波数領域の信号に変換し、周波数領域の信号処理により等化処理を行う等化方法であって、
周波数領域のチャネル推定値を一旦、時間領域に変換する前に端のサブキャリアのチャネル推定値をコピーするコピーステップと、
前記コピーステップでコピーされたチャネル推定値を基に受信信号の等化処理を行う等化フィルタステップとを含むことを特徴とする等化方法。
【請求項８】
前記コピーステップは、伝搬路状況に応じて、前記端のサブキャリアをコピーする数を決定することを特徴とする請求項７記載の等化方法。
【請求項９】
シングルキャリアのパイロット信号を用いて、周波数領域の信号処理によりチャネル推定を推定するチャネル推定方法のプログラムであって、
コンピュータに、周波数領域のチャネル推定値を一旦、時間領域に変換する前に端のサブキャリアのチャネル推定値をコピーするコピーステップを実行させるためのプログラム。
【請求項１０】
前記コピーステップは、伝搬路状況に応じて、前記端のサブキャリアをコピーする数を決定することを特徴とする請求項９記載のプログラム。
【請求項１１】
シングルキャリア信号を周波数領域の信号に変換し、周波数領域の信号処理により等化処理を行う等化方法のプログラムであって、
コンピュータに、周波数領域のチャネル推定値を一旦、時間領域に変換する前に端のサブキャリアのチャネル推定値をコピーするコピーステップと、
前記コピーステップでコピーされたチャネル推定値を基に受信信号の等化処理を行う等化フィルタステップとを実行させるためのプログラム。
【請求項１２】
前記コピーステップは、伝搬路状況に応じて、前記端のサブキャリアをコピーする数を決定することを特徴とする請求項１１記載のプログラム。
【請求項１３】
シングルキャリアのパイロット信号を用いて、周波数領域の信号処理によりチャネル推定を推定するチャネル推定装置であって、
前記パイロット受信信号を受信して周波数領域に変換する第一の離散フーリエ変換（ＤＦＴ：Ｄｅｓｃｒｅｔｅ  Ｆｏｕｒｉｅｒ  Ｔｒａｎｓｆｏｒｍ）部と、
所望のサブキャリアだけを選択するサブキャリアデマッピング部と、
前記サブキャリアデマッピング部の出力とパイロット符号を周波数領域に変換して生成したパイロット参照信号との相関処理により、チャネル推定を推定する相関処理部と、
前記相関処理部で推定したチャネル推定とサブキャリアコピー数Ｋ（Ｋは０以上の整数）を用いて、端のサブキャリアをＫ個コピーするサブキャリアコピー部と、
前記サブキャリアコピー部で得られたチャネル推定を時間領域のチャネル応答に変換する第一の離散逆フーリエ変換（ＩＤＦＴ：Ｉｎｖｅｒｓｅ  Ｄｅｓｃｒｅｔｅ  Ｆｏｕｒｉｅｒ  Ｔｒａｎｓｆｏｒｍ）部と、
前記チャネル応答から雑音パスを除去する雑音パス除去部と、
前記雑音パス除去部で雑音パス除去したチャネル応答を周波数領域に変換し、雑音を抑圧したチャネル推定値を出力する第二のＤＦＴ部とを含むことを特徴とするチャネル推定装置。
【請求項１４】
シングルキャリア信号を周波数領域の信号に変換し、周波数領域の信号処理により等化処理を行う等化装置であって、
シングルキャリアのパイロット信号を受信して周波数領域に変換する第一のＤＦＴ部と、
所望のサブキャリアだけを選択するサブキャリアデマッピング部と、
前記サブキャリアデマッピング部の出力とパイロット符号を周波数領域に変換して生成したパイロット参照信号との相関処理により、チャネル推定を推定する相関処理部と、
前記相関処理部で推定したチャネル推定とサブキャリアコピー数Ｋを用いて、端のサブキャリアをＫ個コピーするサブキャリアコピー部と、
前記サブキャリアコピー部で得られたチャネル推定を時間領域のチャネル応答に変換する第一のＩＤＦＴ部と、
前記チャネル応答から雑音パスを除去する雑音パス除去部と、
前記雑音パス除去部で雑音パス除去したチャネル応答を周波数領域に変換し、雑音を抑圧したチャネル推定値を出力する第二のＤＦＴ部と、
前記第二のＤＦＴ部で雑音抑圧したチャネル推定から等化ウエイトを計算するウエイト計算部と、
前記等化ウエイトにより周波数領域で受信信号の等化処理を行う等化フィルタと、
等化信号を時間領域に変換して復調信号を出力する第二のＩＤＦＴ部とを含むことを特徴とする等化装置。
【請求項１５】
シングルキャリアのパイロット信号を用いて、周波数領域の信号処理によりチャネル推定を推定するチャネル推定装置であって、
前記パイロット受信信号を受信して周波数領域に変換する第一のＤＦＴ部と、
所望のサブキャリアだけを選択するサブキャリアデマッピング部と、
前記サブキャリアデマッピング部の出力とパイロット符号を周波数領域に変換して生成したパイロット参照信号との相関処理により、チャネル推定を推定する相関処理部と、
前記相関処理部で推定したチャネル推定を時間領域のチャネル応答に変換する第三のＩＤＦＴ部と、
前記チャネル応答からコヒーレント帯域幅を計算する伝搬路計算部と、
前記相関処理部で推定したチャネル推定、前記伝搬路計算部で計算したコヒーレント帯域幅とサブキャリアコピー数Ｋを用いて、伝搬路状況に応じて、コピーする数を決定し、端のサブキャリアを決定した数だけコピーするサブキャリアコピー部と、
前記サブキャリアコピー部で得られたチャネル推定を時間領域のチャネル応答に変換する第一のＩＤＦＴ部と、
前記チャネル応答から雑音パスを除去する雑音パス除去部と、
前記雑音パス除去部で雑音パス除去したチャネル応答を周波数領域に変換し、雑音を抑圧したチャネル推定値を出力する第二のＤＦＴ部とを含むことを特徴とするチャネル推定装置。
【請求項１６】
シングルキャリア信号を周波数領域の信号に変換し、周波数領域の信号処理により等化処理を行う等化装置であって、
シングルキャリアのパイロット信号を受信して周波数領域に変換する第一のＤＦＴ部と、
所望のサブキャリアだけを選択するサブキャリアデマッピング部と、
前記サブキャリアデマッピング部の出力とパイロット符号を周波数領域に変換して生成したパイロット参照信号との相関処理により、チャネル推定を推定する相関処理部と、
前記相関処理部で推定したチャネル推定を時間領域のチャネル応答に変換する第三のＩＤＦＴ部と、
前記チャネル応答からコヒーレント帯域幅を計算する伝搬路計算部と、
前記相関処理部で推定したチャネル推定、前記伝搬路計算部で計算したコヒーレント帯域幅とサブキャリアコピー数Ｋを用いて、伝搬路状況に応じて、コピーする数を決定し、端のサブキャリアを決定した数だけコピーするサブキャリアコピー部と、
前記サブキャリアコピー部で得られたチャネル推定を時間領域のチャネル応答に変換する第一のＩＤＦＴ部と、
前記チャネル応答から雑音パスを除去する雑音パス除去部と、
前記雑音パス除去部で雑音パス除去したチャネル応答を周波数領域に変換し、雑音を抑圧したチャネル推定値を出力する第二のＤＦＴ部と、
前記第二のＤＦＴ部で雑音抑圧したチャネル推定から等化ウエイトを計算するウエイト計算部と、
前記等化ウエイトにより周波数領域で受信信号の等化処理を行う等化フィルタと、
等化信号を時間領域に変換して復調信号を出力する第二のＩＤＦＴ部とを含むことを特徴とする等化装置。
【請求項１７】
前記雑音パス除去部は、時間窓フィルタと雑音しきい値制御の両方あるいはいずれかによりチャネル応答から雑音パスを除去とすることを特徴とする請求項１３または１５記載のチャネル推定装置。
【請求項１８】
前記雑音パス除去部は、時間窓フィルタと雑音しきい値制御の両方あるいはいずれかによりチャネル応答から雑音パスを除去とすることを特徴とする請求項１４または１６記載の等化装置。
【請求項１９】
前記ウエイト計算部は、最小平均自乗誤差（ＭＭＳＥ：Ｍｉｎｉｍｕｍ  Ｍｅａｎ  Ｓｑｕａｒｅ  Ｅｒｒｏｒ）法あるいはゼロフォーシング（ＺＦ：Ｚｅｒｏ  Ｆｏｒｃｉｎｇ）法に基づき等化ウエイトを計算することを特徴とする請求項１４または１６記載の等化装置。
【請求項２０】
シングルキャリアのパイロット信号を用いて、周波数領域の信号処理によりチャネル推定を推定するチャネル推定方法であって、
前記パイロット受信信号を受信して周波数領域に変換し、所望のサブキャリアだけを選択し、その出力とパイロット符号を周波数領域に変換して生成したパイロット参照信号との相関処理により、チャネル推定を推定し、前記チャネル推定とサブキャリアコピー数Ｋを用いて、端のサブキャリアをＫ個コピーし、得られたチャネル推定を時間領域のチャネル応答に変換し、前記チャネル応答から雑音パスを除去し、雑音パス除去したチャネル応答を周波数領域に変換し、雑音を抑圧したチャネル推定値を出力することを特徴とするチャネル推定方法。
【請求項２１】
シングルキャリア信号を周波数領域の信号に変換し、周波数領域の信号処理により等化処理を行う等化方法であって、
シングルキャリアのパイロット信号を受信して周波数領域に変換し、所望のサブキャリアだけを選択し、その出力とパイロット符号を周波数領域に変換して生成したパイロット参照信号との相関処理により、チャネル推定を推定し、前記チャネル推定とサブキャリアコピー数Ｋを用いて、端のサブキャリアをＫ個コピーし、得られたチャネル推定を時間領域のチャネル応答に変換し、前記チャネル応答から雑音パスを除去し、雑音パス除去したチャネル応答を周波数領域に変換し、雑音を抑圧したチャネル推定値を出力し、雑音抑圧したチャネル推定から等化ウエイトを計算し、前記等化ウエイトにより周波数領域で受信信号の等化処理を行い、等化信号を時間領域に変換して復調信号を出力することを特徴とする等化方法。
【請求項２２】
シングルキャリアのパイロット信号を用いて、周波数領域の信号処理によりチャネル推定を推定するチャネル推定方法であって、
前記パイロット受信信号を受信して周波数領域に変換し、所望のサブキャリアだけを選択し、その出力とパイロット符号を周波数領域に変換して生成したパイロット参照信号との相関処理により、チャネル推定を推定し、前記チャネル推定を時間領域のチャネル応答に変換し、前記チャネル応答からコヒーレント帯域幅を計算し、前記チャネル推定、前記コヒーレント帯域幅とサブキャリアコピー数Ｋを用いて、伝搬路状況に応じて、コピーする数を決定し、端のサブキャリアを決定した数だけコピーし、得られたチャネル推定を時間領域のチャネル応答に変換し、前記チャネル応答から雑音パスを除去し、雑音パス除去したチャネル応答を周波数領域に変換し、雑音を抑圧したチャネル推定値を出力することを特徴とするチャネル推定方法。
【請求項２３】
シングルキャリア信号を周波数領域の信号に変換し、周波数領域の信号処理により等化処理を行う等化方法であって、
シングルキャリアのパイロット信号を受信して周波数領域に変換し、所望のサブキャリアだけを選択し、その出力とパイロット符号を周波数領域に変換して生成したパイロット参照信号との相関処理により、チャネル推定を推定し、前記チャネル推定を時間領域のチャネル応答に変換し、前記チャネル応答からコヒーレント帯域幅を計算し、前記チャネル推定、前記コヒーレント帯域幅とサブキャリアコピー数Ｋを用いて、伝搬路状況に応じて、コピーする数を決定し、端のサブキャリアを決定した数だけコピーし、得られたチャネル推定を時間領域のチャネル応答に変換し、前記チャネル応答から雑音パスを除去し、雑音パス除去したチャネル応答を周波数領域に変換し、雑音を抑圧したチャネル推定値を出力し、雑音抑圧したチャネル推定から等化ウエイトを計算し、前記等化ウエイトにより周波数領域で受信信号の等化処理を行い、等化信号を時間領域に変換して復調信号を出力することを特徴とする等化方法。
【請求項２４】
前記コピー手段は、前記端のサブキャリアのチャネル推定値を、受信信号の帯域外である低周波数成分及び／又は高周波数成分のサブキャリアの位置に、それぞれ１つ又は複数コピーする、ことを特徴とする請求項１又は２記載のチャネル推定装置。
【請求項２５】
前記コピー手段は、前記端のサブキャリアのチャネル推定値を、受信信号の帯域外である低周波数成分及び／又は高周波数成分のサブキャリアの位置に、それぞれ１つ又は複数コピーする、ことを特徴とする請求項３又は４記載の等化装置。
【発明の詳細な説明】
【技術分野】
【０００１】
（関連出願についての記載）本願は、先の日本特許出願２００７−０２７４３５号（２００７年２月７日出願）の優先権を主張するものであり、前記先の出願の全記載内容は、本書に引用をもって繰込み記載されているものとみなされる。
本発明は、チャネル推定装置および等化装置ならびにその推定および等化方法に関し、特にシングルキャリア信号を周波数領域の信号に変換し、周波数領域の信号処理によりチャネル推定と等化処理を行うチャネル推定装置および等化装置ならびにその推定および等化方法に関する。
【背景技術】
【０００２】
次世代移動通信の上りリンク無線方式では、広カバレッジ化のため端末では高い送信電力効率を実現する必要があり、ピーク電力対平均電力比（ＰＡＰＲ：Ｐｅａｋ  ｔｏ  Ａｖｅｒａｇｅ  Ｐｏｗｅｒ  Ｒａｔｉｏ）が小さく抑えることができるシングルキャリア方式が有力とされている。また、次世代移動通信では、高速データ伝送を実現することが重要であり、シングルキャリア信号を用いて高速データ伝送を行うとマルチパスによるシンボル間干渉すなわちマルチパス干渉が問題となる。【０００３】
このマルチパス干渉を抑圧する方法には種々の方法があるが、比較的簡易な方法に線形等化器があり、この等化処理を周波数領域の信号処理で行い、演算量を大幅に削減できる周波数イコライザが提案されている（例えば、非特許文献１参照）。【０００４】
周波数イコライザは等化ウエイトを計算するため、周波数領域のチャネル推定が必要となり、パイロット受信信号を直接周波数領域に変換し、周波数領域でパイロット参照信号との相関をとることによりチャネル推定を推定する方法が提案されている（例えば、非特許文献２参照）。【０００５】
図８は、非特許文献２に記載された従来のチャネル推定装置および等化装置の一例の構成図である。同図を参照すると、従来のチャネル推定装置および等化装置は、サイクリックプリフィックス（ＣＰ：Ｃｙｃｌｉｃ  Ｐｒｅｆｉｘ）除去部５１と、離散フーリエ変換（ＤＦＴ：Ｄｅｓｃｒｅｔｅ  Ｆｏｕｒｉｅｒ  Ｔｒａｎｓｆｏｒｍ）部５２と、受信フィルタ５３と、チャネル推定部５４と、ウエイト計算部５５と、等化フィルタ５６と、離散逆フーリエ変換（ＩＤＦＴ：Ｉｎｖｅｒｓｅ  Ｄｅｓｃｒｅｔｅ  Ｆｏｕｒｉｅｒ  Ｔｒａｎｓｆｏｒｍ）部５７とを含んで構成される。【０００６】
ＣＰ除去部５１は、受信信号を入力とし、ＣＰに相当する部分の受信信号を除去する。
ＤＦＴ部５２は、ＣＰ除去部５１でＣＰを除去した受信信号を入力とし、ＮDFTポイント（ＮDFTは２以上の整数）のＤＦＴを行い、周波数領域に変換した受信信号を出力する。
受信フィルタ５３は、周波数領域で受信信号の帯域制限を行い、波形整形と雑音抑圧を行う。受信フィルタ５３には、一般にはレイズドコサインロールオフフィルタ（ロールオフ率＝０を含む）が用いられる。【０００７】
図８の構成では、受信信号のフィルタリングを周波数領域の信号処理で行っているが、ＤＦＴ部５２に先立ち時間領域の信号処理でフィルタリングを行うこともできる。チャネル推定部５４は、周波数領域でパイロット受信信号とパイロット参照信号との相関処理によりチャネル推定を推定する。【０００８】
チャネル推定部５４は、サブキャリアデマッピング部６０と、ＤＦＴ部６１、６７と、送受信フィルタ６２と、参照信号生成部６３と、相関処理部６４と、ＩＤＦＴ部６５と、雑音パス除去部６６とを含んで構成される。【０００９】
サブキャリアデマッピング部６０は、受信フィルタ５３の出力であるパイロット受信信号を入力とし、所望ユーザのパイロット信号のサブキャリアだけを選択し、不要なサブキャリアを間引き処理する。ここでサブキャリアデマッピング部６０は、ＤＦＴ部５２の直後、受信フィルタ５３の前で行う構成としてもよい。【００１０】
ＤＦＴ部６１は、所望ユーザのパイロット符号をＤＦＴし、周波数領域の信号に変換する。送受信フィルタ６２は、パイロット符号の周波数領域の信号を送受信フィルタに通す。【００１１】
参照信号生成部６３は、送受信フィルタ６２の出力を用いて、パイロット受信信号との相関処理に用いるパイロット参照信号を計算する。参照信号生成部６３には、パイロット受信信号の符号特性を完全にキャンセルするゼロフォーシング（ＺＦ：Ｚｅｒｏ  Ｆｏｒｃｉｎｇ）法や相関処理における雑音強調を抑える最小平均自乗誤差（ＭＭＳＥ：Ｍｉｎｉｍｕｍ  Ｍｅａｎ  Ｓｑｕａｒｅ  Ｅｒｒｏｒ）法やクリッピング法が用いられる。【００１２】
ＺＦ法を用いる場合のサブキャリアｋ（１≦ｋ≦ＮDFT）のパイロット参照信号Ｘ（ｋ）は次式で表される。
Ｘ（ｋ）＝Ｃ（ｋ）／｜Ｃ（ｋ）｜2      ．．．（１）【００１３】
ここで、Ｃ（ｋ）は送受信フィルタ６２の出力信号を示す。相関処理部６４は、周波数領域のパイロット受信信号とパイロット参照信号との相関処理によりチャネル推定値を推定する。サブキャリアｋのチャネル推定値Ｈ（ｋ）（１≦ｋ≦ＮDFT）は次式で計算される。【００１４】
Ｈ（ｋ）＝Ｘ*（ｋ）ＰRX（ｋ）      ．．．（２）【００１５】
ここで、ＰRX（ｋ）は受信フィルタ５３で帯域制限されたパイロット受信信号、添え字＊は複素共役を示す。【００１６】
ＩＤＦＴ部６５は、相関処理部６４で推定したチャネル推定値を時間領域のチャネル応答に変換する。雑音パス除去部６６は、ＩＤＦＴ部６５の出力であるチャネル応答から雑音だけのポイントの信号（雑音パス）を除去するため“０”に置換する。雑音パス除去部６６には、時間窓フィルタや雑音しきい値制御が用いられる。時間窓フィルタは、チャネル応答がＣＰ幅に収まっていると仮定し、ＣＰ幅に相当する区間以外のポイントの信号を雑音パスとして“０”に置換する。【００１７】
雑音しきい値制御は、所定のしきい値以下のポイントの信号を雑音パスとして“０”に置換する。時間窓フィルタと雑音しきい値制御を併用する場合は、雑音しきい値には時間窓フィルタの窓外の雑音の平均値を用いることができる。ＤＦＴ部６７は、雑音パス除去部６６で雑音パス除去したチャネル応答をＤＦＴし、雑音を抑圧した周波数領域のチャネル推定値を出力する。【００１８】
ウエイト計算部５５は、チャネル推定部５４の出力である周波数領域のチャネル推定値を入力とし、等化ウエイトを計算する。ウエイト計算部５５には、一般にＭＭＳＥ法やＺＦ法が用いられる。サブキャリアｋにおけるＭＭＳＥウエイトＷ（ｋ）（１≦ｋ≦ＮDFT）は、チャネル推定値Ｈ（ｋ）を用いて、次式で計算される。【００１９】
Ｗ（ｋ）＝Ｈ（ｋ）／（｜Ｈ（ｋ）｜2  ＋  σ2）      ．．．（３）【００２０】
ここで、σ2は雑音電力を示す。等化フィルタ５６は、ウエイト計算部５５で計算した等化ウエイトおよび受信フィルタ５３で帯域制限した受信信号を入力とし、それぞれをサブキャリア毎に乗じることにより、周波数領域で受信信号の等化処理を行う。受信フィルタ５３で帯域制限したデータ受信信号をＤRX（ｋ）（１≦ｋ≦ＮDFT）、ウエイト計算部５５で計算した等化ウエイトをＷ（ｋ）とすると、等化フィルタ５６で等化された信号Ｙ（ｋ）（１≦ｋ≦ＮDFT）は、次式で表される。【００２１】
Ｙ（ｋ）＝Ｘ*（ｋ）ＤRX（ｋ）      ．．．（４）【００２２】
ＩＤＦＴ部５７は、等化フィルタ５６の出力である周波数領域の等化信号を入力とし、ＮIDFTポイント（ＮIDFTは２以上の整数）のＩＤＦＴを行い、時間領域の信号に変換し、復調信号として出力する。【００２３】
なお、この種の他のチャネル推定装置および等化装置の一例が特許文献１に開示されている。【００２４】
【特許文献１】特開２００５−２２３６９８号公報
【非特許文献１】Ｄ．Ｆａｌｃｏｎｅｒ，Ｓ．Ｌ．Ａｒｉｙａｖｉｓｉｔａｋｕｌ，Ａ．Ｂｅｎｙａｍｉｎ−Ｓｅｅｙａｒ，ａｎｄ  Ｂ．Ｅｉｄｓｏｎ，“Ｆｒｅｑｕｅｎｃｙ  Ｄｏｍａｉｎ  Ｅｑｕａｌｉｚａｔｉｏｎ  ｆｏｒ  Ｓｉｎｇｌｅ−Ｃａｒｒｉｅｒ  Ｂｒｏａｄｂａｎｄ  Ｗｉｒｅｌｅｓｓ  Ｓｙｓｔｅｍｓ，”ＩＥＥＥ  Ｃｏｍｍｕｎ．Ｍａｇ．，ｖｏｌ．４０，ｎｏ．４，ｐｐ．５８−６６，Ａｐｒ．２００２．
【非特許文献２】木全，吉田，“上りシングルキャリアＩＦＤＭＡにおける周波数領域復調方式の検討，”２００６年信学総大，Ｂ−５−３６．
【発明の開示】
【発明が解決しようとする課題】
【００２５】
以上の特許文献１及び非特許文献１、２の開示事項は、本書に引用をもって繰り込み記載されているものとする。以下に本発明による関連技術の分析を与える。
しかし、従来のチャネル推定装置および等化装置では、次のような問題点がある。雑音パス除去部６６において、時間窓フィルタや雑音しきい値制御を用いて、雑音パス除去したチャネル応答は周波数領域では、コヒーレント帯域幅のＳＩＮＣ関数重み付けサブキャリア平均と等価であるため、受信フィルタ５３や送受信フィルタ６２で使用されるフィルタのロールオフ率が“０”に近い場合や受信信号の帯域幅が狭い場合、ＤＦＴ部６７で得られた周波数領域のチャネル推定値の端のサブキャリアの振幅レベルが落ち始め、チャネル推定値を正確に推定できなくなり、等化性能が劣化するという問題がある。【００２６】
一方、上記特許文献１および非特許文献１，２のいずれにもこの課題を解決する手段は開示されていない。【００２７】
そこで本発明の目的は、チャネル推定精度を従来よりも向上させ、等化フィルタのウエイト計算に用いることで優れた等化特性が得られるチャネル推定装置および等化装置ならびにその推定および等化方法を提供することにある。
【課題を解決するための手段】
【００２８】
前記課題を解決するために本発明によるチャネル推定装置は、シングルキャリアのパイロット信号を用いて、周波数領域の信号処理によりチャネル推定を推定するチャネル推定装置であって、周波数領域のチャネル推定値を一旦、時間領域に変換する前に端のサブキャリアのチャネル推定値をコピーするコピー手段を含むことを特徴とする。本発明において、前記コピー手段は、前記端のサブキャリアのチャネル推定値を、周波数軸上、前記端のサブキャリアに対して隣側に位置するサブキャリアとは反対側の位置に、各々サブキャリアの周波数分離間させて１つ又は複数コピーするようにしてもよい。即ち、前記コピー手段は、前記端のサブキャリアのチャネル推定値を、受信信号の帯域外である、低周波数成分及び／又は高周波数成分のサブキャリアの位置にそれぞれ１つ又は複数コピーするようにしてもよい。  【００２９】
また、本発明による等化装置は、シングルキャリア信号を周波数領域の信号に変換し、周波数領域の信号処理により等化処理を行う等化装置であって、周波数領域のチャネル推定値を一旦、時間領域に変換する前に端のサブキャリアのチャネル推定値をコピーするコピー手段と、前記コピー手段でコピーされたチャネル推定値を基に受信信号の等化処理を行う等化フィルタ手段とを含むことを特徴とする。【００３０】
また、本発明によるチャネル推定方法は、シングルキャリアのパイロット信号を用いて、周波数領域の信号処理によりチャネル推定を推定するチャネル推定方法であって、周波数領域のチャネル推定値を一旦、時間領域に変換する前に端のサブキャリアのチャネル推定値をコピーするコピーステップを含むことを特徴とする。【００３１】
また、本発明による等化方法は、シングルキャリア信号を周波数領域の信号に変換し、周波数領域の信号処理により等化処理を行う等化方法であって、周波数領域のチャネル推定値を一旦、時間領域に変換する前に端のサブキャリアのチャネル推定値をコピーするコピーステップと、前記コピーステップでコピーされたチャネル推定値を基に受信信号の等化処理を行う等化フィルタステップとを含むことを特徴とする。【００３２】
また、本発明によるプログラムは、シングルキャリアのパイロット信号を用いて、周波数領域の信号処理によりチャネル推定を推定するチャネル推定方法のプログラムであって、コンピュータに、周波数領域のチャネル推定値を一旦、時間領域に変換する前に端のサブキャリアのチャネル推定値をコピーするコピーステップを実行させるためのプログラムであることを特徴とする。【００３３】
また、本発明による他のプログラムは、シングルキャリア信号を周波数領域の信号に変換し、周波数領域の信号処理により等化処理を行う等化方法のプログラムであって、コンピュータに、周波数領域のチャネル推定値を一旦、時間領域に変換する前に端のサブキャリアのチャネル推定値をコピーするコピーステップと、前記コピーステップでコピーされたチャネル推定値を基に受信信号の等化処理を行う等化フィルタステップとを実行させるためのプログラムであることを特徴とする。【００３４】
また、本発明による他のチャネル推定装置は、シングルキャリアのパイロット信号を用いて、周波数領域の信号処理によりチャネル推定を推定するチャネル推定装置であって、前記パイロット受信信号を受信して周波数領域に変換する第一の離散フーリエ変換（ＤＦＴ：Ｄｅｓｃｒｅｔｅ  Ｆｏｕｒｉｅｒ  Ｔｒａｎｓｆｏｒｍ）部と、所望のサブキャリアだけを選択するサブキャリアデマッピング部と、前記サブキャリアデマッピング部の出力とパイロット符号を周波数領域に変換して生成したパイロット参照信号との相関処理により、チャネル推定を推定する相関処理部と、前記相関処理部で推定したチャネル推定とサブキャリアコピー数Ｋ（Ｋは０以上の整数）を用いて、端のサブキャリアをＫ個コピーするサブキャリアコピー部と、前記サブキャリアコピー部で得られたチャネル推定を時間領域のチャネル応答に変換する第一の離散逆フーリエ変換（ＩＤＦＴ：Ｉｎｖｅｒｓｅ  Ｄｅｓｃｒｅｔｅ  Ｆｏｕｒｉｅｒ  Ｔｒａｎｓｆｏｒｍ）部と、前記チャネル応答から雑音パスを除去する雑音パス除去部と、前記雑音パス除去部で雑音パス除去したチャネル応答を周波数領域に変換し、雑音を抑圧したチャネル推定値を出力する第二のＤＦＴ部とを含むことを特徴とする。【００３５】
また、本発明による他の等化装置は、シングルキャリア信号を周波数領域の信号に変換し、周波数領域の信号処理により等化処理を行う等化装置であって、シングルキャリアのパイロット信号を受信して周波数領域に変換する第一のＤＦＴ部と、所望のサブキャリアだけを選択するサブキャリアデマッピング部と、前記サブキャリアデマッピング部の出力とパイロット符号を周波数領域に変換して生成したパイロット参照信号との相関処理により、チャネル推定を推定する相関処理部と、前記相関処理部で推定したチャネル推定とサブキャリアコピー数Ｋを用いて、端のサブキャリアをＫ個コピーするサブキャリアコピー部と、前記サブキャリアコピー部で得られたチャネル推定を時間領域のチャネル応答に変換する第一のＩＤＦＴ部と、前記チャネル応答から雑音パスを除去する雑音パス除去部と、前記雑音パス除去部で雑音パス除去したチャネル応答を周波数領域に変換し、雑音を抑圧したチャネル推定値を出力する第二のＤＦＴ部と、前記第二のＤＦＴ部で雑音抑圧したチャネル推定から等化ウエイトを計算するウエイト計算部と、前記等化ウエイトにより周波数領域で受信信号の等化処理を行う等化フィルタと、等化信号を時間領域に変換して復調信号を出力する第二のＩＤＦＴ部とを含むことを特徴とする。【００３６】
また、本発明による他のチャネル推定装置は、シングルキャリアのパイロット信号を用いて、周波数領域の信号処理によりチャネル推定を推定するチャネル推定装置であって、前記パイロット受信信号を受信して周波数領域に変換する第一のＤＦＴ部と、所望のサブキャリアだけを選択するサブキャリアデマッピング部と、前記サブキャリアデマッピング部の出力とパイロット符号を周波数領域に変換して生成したパイロット参照信号との相関処理により、チャネル推定を推定する相関処理部と、前記相関処理部で推定したチャネル推定を時間領域のチャネル応答に変換する第三のＩＤＦＴ部と、前記チャネル応答からコヒーレント帯域幅を計算する伝搬路計算部と、前記相関処理部で推定したチャネル推定、前記伝搬路計算部で計算したコヒーレント帯域幅とサブキャリアコピー数Ｋを用いて、伝搬路状況に応じて、コピーする数を決定し、端のサブキャリアを決定した数だけコピーするサブキャリアコピー部と、前記サブキャリアコピー部で得られたチャネル推定を時間領域のチャネル応答に変換する第一のＩＤＦＴ部と、前記チャネル応答から雑音パスを除去する雑音パス除去部と、前記雑音パス除去部で雑音パス除去したチャネル応答を周波数領域に変換し、雑音を抑圧したチャネル推定値を出力する第二のＤＦＴ部とを含むことを特徴とする。【００３７】
また、本発明による他の等化装置は、シングルキャリア信号を周波数領域の信号に変換し、周波数領域の信号処理により等化処理を行う等化装置であって、シングルキャリアのパイロット信号を受信して周波数領域に変換する第一のＤＦＴ部と、所望のサブキャリアだけを選択するサブキャリアデマッピング部と、前記サブキャリアデマッピング部の出力とパイロット符号を周波数領域に変換して生成したパイロット参照信号との相関処理により、チャネル推定を推定する相関処理部と、前記相関処理部で推定したチャネル推定を時間領域のチャネル応答に変換する第三のＩＤＦＴ部と、前記チャネル応答からコヒーレント帯域幅を計算する伝搬路計算部と、前記相関処理部で推定したチャネル推定、前記伝搬路計算部で計算したコヒーレント帯域幅とサブキャリアコピー数Ｋを用いて、伝搬路状況に応じて、コピーする数を決定し、端のサブキャリアを決定した数だけコピーするサブキャリアコピー部と、前記サブキャリアコピー部で得られたチャネル推定を時間領域のチャネル応答に変換する第一のＩＤＦＴ部と、前記チャネル応答から雑音パスを除去する雑音パス除去部と、前記雑音パス除去部で雑音パス除去したチャネル応答を周波数領域に変換し、雑音を抑圧したチャネル推定値を出力する第二のＤＦＴ部と、前記第二のＤＦＴ部で雑音抑圧したチャネル推定から等化ウエイトを計算するウエイト計算部と、前記等化ウエイトにより周波数領域で受信信号の等化処理を行う等化フィルタと、等化信号を時間領域に変換して復調信号を出力する第二のＩＤＦＴ部とを含むことを特徴とする。【００３８】
また、本発明による他のチャネル推定方法は、シングルキャリアのパイロット信号を用いて、周波数領域の信号処理によりチャネル推定を推定するチャネル推定方法であって、前記パイロット受信信号を受信して周波数領域に変換し、所望のサブキャリアだけを選択し、その出力とパイロット符号を周波数領域に変換して生成したパイロット参照信号との相関処理により、チャネル推定を推定し、前記チャネル推定とサブキャリアコピー数Ｋを用いて、端のサブキャリアをＫ個コピーし、得られたチャネル推定を時間領域のチャネル応答に変換し、前記チャネル応答から雑音パスを除去し、雑音パス除去したチャネル応答を周波数領域に変換し、雑音を抑圧したチャネル推定値を出力することを特徴とする。【００３９】
また、本発明による他の等化方法は、シングルキャリア信号を周波数領域の信号に変換し、周波数領域の信号処理により等化処理を行う等化方法であって、シングルキャリアのパイロット信号を受信して周波数領域に変換し、所望のサブキャリアだけを選択し、その出力とパイロット符号を周波数領域に変換して生成したパイロット参照信号との相関処理により、チャネル推定を推定し、前記チャネル推定とサブキャリアコピー数Ｋを用いて、端のサブキャリアをＫ個コピーし、得られたチャネル推定を時間領域のチャネル応答に変換し、前記チャネル応答から雑音パスを除去し、雑音パス除去したチャネル応答を周波数領域に変換し、雑音を抑圧したチャネル推定値を出力し、雑音抑圧したチャネル推定から等化ウエイトを計算し、前記等化ウエイトにより周波数領域で受信信号の等化処理を行い、等化信号を時間領域に変換して復調信号を出力することを特徴とする。【００４０】
また、本発明による他のチャネル推定方法は、シングルキャリアのパイロット信号を用いて、周波数領域の信号処理によりチャネル推定を推定するチャネル推定方法であって、前記パイロット受信信号を受信して周波数領域に変換し、所望のサブキャリアだけを選択し、その出力とパイロット符号を周波数領域に変換して生成したパイロット参照信号との相関処理により、チャネル推定を推定し、前記チャネル推定を時間領域のチャネル応答に変換し、前記チャネル応答からコヒーレント帯域幅を計算し、前記チャネル推定、前記コヒーレント帯域幅とサブキャリアコピー数Ｋを用いて、伝搬路状況に応じて、コピーする数を決定し、端のサブキャリアを決定した数だけコピーし、得られたチャネル推定を時間領域のチャネル応答に変換し、前記チャネル応答から雑音パスを除去し、雑音パス除去したチャネル応答を周波数領域に変換し、雑音を抑圧したチャネル推定値を出力することを特徴とする。【００４１】
また、本発明による他の等化方法は、シングルキャリア信号を周波数領域の信号に変換し、周波数領域の信号処理により等化処理を行う等化方法であって、シングルキャリアのパイロット信号を受信して周波数領域に変換し、所望のサブキャリアだけを選択し、その出力とパイロット符号を周波数領域に変換して生成したパイロット参照信号との相関処理により、チャネル推定を推定し、前記チャネル推定を時間領域のチャネル応答に変換し、前記チャネル応答からコヒーレント帯域幅を計算し、前記チャネル推定、前記コヒーレント帯域幅とサブキャリアコピー数Ｋを用いて、伝搬路状況に応じて、コピーする数を決定し、端のサブキャリアを決定した数だけコピーし、得られたチャネル推定を時間領域のチャネル応答に変換し、前記チャネル応答から雑音パスを除去し、雑音パス除去したチャネル応答を周波数領域に変換し、雑音を抑圧したチャネル推定値を出力し、雑音抑圧したチャネル推定から等化ウエイトを計算し、前記等化ウエイトにより周波数領域で受信信号の等化処理を行い、等化信号を時間領域に変換して復調信号を出力することを特徴とする。【００４２】
ここで、本発明の作用を述べる。本発明に係るチャネル推定装置および等化装置は、シングルキャリア信号を周波数領域の信号に変換し、周波数領域の信号処理によりチャネル推定と等化処理を行うチャネル推定装置および等化装置であって、周波数領域のチャネル推定値を一旦、時間領域に変換する前に端のサブキャリアのチャネル推定値をコピーすることにより、チャネル推定精度を向上させ、等化フィルタのウエイト計算に用いることで優れた等化特性を得る。
【発明の効果】
【００４３】
本発明によれば、上記構成を含むため、チャネル推定精度を従来よりも向上させ、等化フィルタのウエイト計算に用いることで優れた等化特性が得られる。
【図面の簡単な説明】
【００４４】
【図１】本発明に係るチャネル推定装置および等化装置の第１実施例の構成図である。
【図２】第１実施例のチャネル推定および等化方法を示すフローチャートである。
【図３】第１実施例のチャネル推定および等化方法を示すフローチャートである。
【図４】サブキャリアコピー部２０におけるチャネル推定値のコピーの様子の一例を示す図である。
【図５】本発明と従来例における雑音抑圧した周波数領域のチャネル推定値の様子の一例を示す図である。
【図６】本発明に係るチャネル推定装置および等化装置の第２実施例の構成図である。
【図７】第２実施例のチャネル推定および等化方法の要部を示すフローチャートである。
【図８】非特許文献２に記載された従来のチャネル推定装置および等化装置の一例の構成図である。
【符号の説明】
【００４５】
１  ＣＰ除去部
２、１１、１７  ＤＦＴ部
３  受信フィルタ
４、２５  チャネル推定部
５  ウエイト計算部
６  等化フィルタ
７、１５、２６  ＩＤＦＴ部
１０  サブキャリアデマッピング部
１２  送受信フィルタ
１３  参照信号生成部
１４  相関処理部
１６  雑音パス除去部
２０、２８  サブキャリアコピー部
２７  伝搬路計算部
３１  制御部
３２  プログラム格納部
【発明を実施するための最良の形態】
【００４６】
以下、本発明の実施例について添付図面を参照しながら説明する。
【実施例１】
【００４７】
図１は、本発明に係るチャネル推定装置および等化装置の第１実施例の構成図である。
本発明に係るチャネル推定装置および等化装置の第１実施例は、ＣＰ除去部１と、ＤＦＴ部２と、受信フィルタ３と、チャネル推定部４と、ウエイト計算部５と、等化フィルタ６と、ＩＤＦＴ部７と、制御部３１と、プログラム格納部３２とを含んで構成される。【００４８】
チャネル推定部４はサブキャリアデマッピング部１０と、ＤＦＴ部１１および１７と、送受信フィルタ１２と、参照信号生成部１３と、相関処理部１４と、ＩＤＦＴ部１５と、雑音パス除去部１６と、サブキャリアコピー部２０とを含んで構成される。【００４９】
一方、制御部３１は上記ＣＰ除去部１、ＤＦＴ部２、受信フィルタ３、チャネル推定部４、ウエイト計算部５、等化フィルタ６およびＩＤＦＴ部７を制御する。【００５０】
プログラム格納部３２には本発明に係るチャネル推定および等化方法をコンピュータ（制御部３１）に実行させるためのプログラムが格納されている。【００５１】
すなわち、制御部３１はプログラム格納部３２からチャネル推定および等化方法のプログラムを読み出し、そのプログラムに基づいて上記各部位を制御する。【００５２】
次に、第１実施例の動作について図２および図３を参照しながら詳細に説明する。図２および図３は第１実施例のチャネル推定および等化方法を示すフローチャートである。【００５３】
ＣＰ除去部１は、受信信号を入力とし、ＣＰに相当する部分の受信信号を除去する（図２のステップＳ１）。ＤＦＴ部２は、ＣＰ除去部１でＣＰを除去した受信信号を入力とし、ＮDFTポイント（ＮDFTは２以上の整数）のＤＦＴを行い、周波数領域に変換した受信信号を出力する（図２のステップＳ２）。受信フィルタ３は、周波数領域で受信信号の帯域制限を行い、波形整形と雑音抑圧を行う（図２のステップＳ３）。【００５４】
受信フィルタ３には、一般にはレイズドコサインロールオフフィルタ（ロールオフ率＝０を含む）が用いられる。図１の構成では、受信信号のフィルタリングを周波数領域の信号処理で行っているが、ＤＦＴ部２に先立ち時間領域の信号処理でフィルタリングを行うこともできる。【００５５】
チャネル推定部４は、周波数領域でパイロット受信信号とパイロット参照信号との相関処理によりチャネル推定を推定する。以下、チャネル推定部４の動作について説明する。【００５６】
サブキャリアデマッピング部１０は、受信フィルタ３の出力であるパイロット受信信号を入力とし、所望ユーザのパイロット信号のサブキャリアだけを選択し（図２のステップＳ４）、不要なサブキャリアを間引き処理する。ここでサブキャリアデマッピング部１０は、ＤＦＴ部２の直後、受信フィルタ３の前で行う構成としてもよい。【００５７】
ＤＦＴ部１１は、所望ユーザのパイロット符号をＤＦＴし、周波数領域の信号に変換する（図２のステップＳ５）。送受信フィルタ１２は、パイロット符号の周波数領域の信号を送受信フィルタに通す（図２のステップＳ６）。参照信号生成部１３は、送受信フィルタ１２の出力を用いて、パイロット受信信号との相関処理に用いるパイロット参照信号を計算する（図２のステップＳ７）。【００５８】
参照信号生成部１３には、パイロット受信信号の符号特性を完全にキャンセルするＺＦ法や相関処理における雑音強調を抑えるＭＭＳＥ法やクリッピング法が用いられる。ＺＦ法を用いる場合のパイロット参照信号は式（１）で表される。【００５９】
相関処理部１４は、周波数領域のパイロット受信信号とパイロット参照信号との相関処理によりチャネル推定を推定する（図２のステップＳ８）。チャネル推定値は式（２）で計算される。【００６０】
サブキャリアコピー部２０は、相関処理部１４で推定したチャネル推定値とサブキャリアコピー数Ｋ（Ｋは０以上の整数）を入力とし、端のサブキャリアをＫ個コピーする（図２のステップＳ９）。ＩＤＦＴ部１５は、サブキャリアコピー部２０で得られたチャネル推定値を時間領域のチャネル応答に変換する（図３のステップＳ１０）。【００６１】
雑音パス除去部１６は、ＩＤＦＴ部１５の出力であるチャネル応答から雑音だけのポイントの信号（雑音パス）を除去するため“０”に置換する（図３のステップＳ１１）。【００６２】
雑音パス除去部１６には、時間窓フィルタや雑音しきい値制御が用いられる。時間窓フィルタは、チャネル応答がＣＰ幅に収まっていると仮定し、ＣＰ幅に相当する区間以外のポイントの信号を雑音パスとして“０”に置換する。雑音しきい値制御は、所定のしきい値以下のポイントの信号を雑音パスとして“０”に置換する。時間窓フィルタと雑音しきい値制御を併用する場合は、雑音しきい値には時間窓フィルタの窓外の雑音の平均値を用いることができる。【００６３】
ＤＦＴ部１７は、雑音パス除去部１６で雑音パス除去したチャネル応答をＤＦＴし、雑音を抑圧した周波数領域のチャネル推定値を出力する（図３のステップＳ１２）。【００６４】
図４はサブキャリアコピー部２０におけるチャネル推定値のコピーの様子の一例を示す図である。同図（Ａ）は相関処理部１４で推定したチャネル推定値を示し、同図（Ｂ）はその拡大図を示している。同図（Ａ）および（Ｂ）はサブキャリアコピー数Ｋ＝２の場合を示している。【００６５】
相関処理部１４で推定した端のサブキャリアのチャネル推定値を三角印、コピーしたチャネル推定値を白丸印で表しており、三角印の端のサブキャリアのチャネル推定値を白丸の位置のサブキャリアに２つずつコピーする。【００６６】
図５は本発明と従来例における雑音抑圧した周波数領域のチャネル推定値の様子の一例を示す図であり、実線が本発明における周波数領域のチャネル推定値、点線が従来例における周波数領域のチャネル推定値を表している。なお、同図の波形はＤＦＴ部１７の出力波形を示している。【００６７】
同図に示すように、端のサブキャリアをコピーすることにより、受信信号の帯域幅内で周波数領域のチャネル推定値の端のサブキャリアの振幅レベルの落ち込みを防ぐことができる。なお、同図に示す“受信信号の帯域幅”の縦線の位置が図４（Ｂ）に示した端のサブキャリアの位置（三角印）に対応する。【００６８】
次に、図３のフローチャートに戻り、ウエイト計算部５は、チャネル推定部４の出力である周波数領域のチャネル推定値を入力とし、等化ウエイトを計算する（図３のステップＳ１３）。ウエイト計算部５には、一般にＭＭＳＥ法やＺＦ法が用いられ、ＭＭＳＥウエイトは式（３）で計算される。【００６９】
等化フィルタ６は、ウエイト計算部５で計算した等化ウエイトおよび受信フィルタ３で帯域制限した受信信号を入力とし、それぞれをサブキャリア毎に乗じることにより、周波数領域で受信信号の等化処理を行う（図３のステップＳ１４）。等化フィルタ６で等化された信号は式（４）で表される。【００７０】
ＩＤＦＴ部７は、等化フィルタ６の出力である周波数領域の等化信号を入力とし、ＮIDFTポイント（ＮIDFTは２以上の整数）のＩＤＦＴを行い、時間領域の信号に変換し、復調信号として出力する（図３のステップＳ１５）。【００７１】
以上説明したように、本発明の第１実施例によれば、周波数領域のチャネル推定値を一旦、時間領域に変換する前に端のサブキャリアのチャネル推定値をコピーすることにより、チャネル推定精度を向上させ、等化フィルタのウエイト計算に用いることで優れた等化特性を実現することが可能となる。
【実施例２】
【００７２】
図６は、本発明に係るチャネル推定装置および等化装置の第２実施例の構成図である。
なお、同図において図１と同等部分は同一符号にて示している。本発明の等化装置の第２実施例は、ＣＰ除去部１と、ＤＦＴ部２と、受信フィルタ３と、チャネル推定部２５と、ウエイト計算部５と、等化フィルタ６と、ＩＤＦＴ部７と、制御部３１と、プログラム格納部３２とを含んで構成される。【００７３】
また、チャネル推定部２５は、サブキャリアデマッピング部１０と、ＤＦＴ部１１および１７と、送受信フィルタ１２と、参照信号生成部１３と、相関処理部１４と、ＩＤＦＴ部１５および２６と、雑音パス除去部１６と、伝搬路計算部２７と、サブキャリアコピー部２８とを含んで構成される。【００７４】
第２実施例では、チャネル推定部２５のＩＤＦＴ部２６と、伝搬路計算部２７と、サブキャリアコピー部２８とを除いた各部の動作は第１実施例と同様である。第１実施例では、サブキャリアコピー部２０において、端のサブキャリアをコピーする数を固定値Ｋ個にしていたが、第２実施例では、伝搬路状況に応じて、端のサブキャリアをコピーする数を決定している。【００７５】
次に、第２実施例の動作について図７を参照しながら詳細に説明する。図７は第２実施例のチャネル推定および等化方法の要部を示すフローチャートである。【００７６】
ＩＤＦＴ部２６は、相関処理部１４で推定したチャネル推定値を時間領域のチャネル応答に変換する（図７のステップＳ２１）。【００７７】
伝搬路計算部２７は、ＩＤＦＴ部２６の出力であるチャネル応答から遅延分散を計算し、遅延分散からコヒーレント帯域幅ＢＷCoを計算する（図７のステップＳ２２）。【００７８】
サブキャリアコピー部２８は、相関処理部１４で推定したチャネル推定値、伝搬路計算部２７で計算したコヒーレント帯域幅ＢＷCo、サブキャリアコピー数Ｋを入力とし、伝搬路状況に応じて、コピーする数を決定し、端のサブキャリアを決定した数だけコピーする（図７のステップＳ２３）。【００７９】
Ｋ個のサブキャリアをコピーした場合の帯域幅をＢＷCopyとすると、コヒーレント帯域幅ＢＷCoがＫ個のサブキャリアをコピーした場合の帯域幅ＢＷCopyよりも大きい場合（ＢＷCo≧ＢＷCopy）、端のサブキャリアをコピーする数をＫ個もしくはコヒーレント帯域幅になるべく近くなるようにＫ個よりも多くする。【００８０】
逆にコヒーレント帯域幅ＢＷCoがＫ個のサブキャリアをコピーした場合の帯域幅ＢＷCopyよりも小さい場合（ＢＷCo＜ＢＷCopy）、端のサブキャリアをコピーする数をコヒーレント帯域幅になるべく近くなるようにＫ個よりも少なくする。以降の雑音抑圧した周波数領域のチャネル推定、等化ウエイト計算、等化処理は第１実施例と同様であるため説明を省略する。【００８１】
以上説明したように、本発明の第２実施例によれば、周波数領域のチャネル推定値を一旦、時間領域に変換する前に端のサブキャリアのチャネル推定値をコピーすることにより、チャネル推定精度を向上させ、等化フィルタのウエイト計算に用いることで優れた等化特性を実現することが可能である。さらに、第２実施例は伝搬路状況に応じて、端のサブキャリアをコピーする数を決定する構成を含むため、第１実施例よりも優れたチャネル推定精度および等化特性を実現することが可能である。
【実施例３】
【００８２】
第３実施例はチャネル推定方法および等化方法のプログラムに関するものである。上述したように、本発明のチャネル推定装置および等化装置は、制御部３１と、プログラム格納部３２とを含んでいる（図１および図６参照）。【００８３】
プログラム格納部３２には図２，図３および図７に示すチャネル推定方法および等化方法をコンピュータ（制御部３１）に実行させるためのプログラムが格納されている。【００８４】
すなわち、制御部３１はプログラム格納部３２から図２，図３および図７に示すチャネル推定および等化方法のプログラムを読み出し、そのプログラムに基づいて上記各部位を制御する。その制御内容については既に述べたので、ここでの説明は省略する。【００８５】
以上説明したように、本発明の第３実施例によれば、周波数領域のチャネル推定値を一旦、時間領域に変換する前に端のサブキャリアのチャネル推定値をコピーすることにより、チャネル推定精度を向上させ、等化フィルタのウエイト計算に用いることで優れた等化特性を実現するプログラムが得られる。【００８６】
なお、第１および第２実施例では時間領域信号から周波数領域信号への変換をＤＦＴ、周波数領域信号から時間領域信号への変換をＩＤＦＴで行っているが、高速フーリエ変換（ＦＦＴ：Ｆａｓｔ  Ｆｏｕｒｉｅｒ  Ｔｒａｎｓｆｏｒｍ）、高速逆フーリエ変換（ＩＦＦＴ：Ｉｎｖｅｒｓｅ  Ｆａｓｔ  Ｆｏｕｒｉｅｒ  Ｔｒａｎｓｆｏｒｍ）あるいは他の信号変換アルゴリズムを用いてもよい。
【産業上の利用可能性】
【００８７】
本発明は移動通信システムの基地局無線装置および移動局無線装置のどちらにも適用することが可能である。
本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。
【図１】
2008099734.tif 000003
【図２】
2008099734.tif 000004
【図３】
2008099734.tif 000005
【図４】
2008099734.tif 000006
【図５】
2008099734.tif 000007
【図６】
2008099734.tif 000008
【図７】
2008099734.tif 000009
【図８】
2008099734.tif 000010
【国際調査報告】
2008099734.tif 000011
2008099734.tif 000012